(57)【要約】【課題】掘削機を用いて地面を掘削する際、掘削機の爪が誤って埋設される上下水道管やガス管のプラスチック管に当たるようなことがあってもプラスチック管を傷付けることがないようにプラスチック管に巻き付けられる耐衝撃性のある保護シートにおいて、プラスチック管への巻付けや固定が容易で、プラスチック管にサドル継手等を接続する必要がある場合も保護シートの所要箇所をプラスチック管を傷付けることなく切断することができ、埋め戻した土砂がプラスチック管に接し、プラスチック管との間に隙間ができないようにする。【解決手段】保護シート６がポリプロピレンを延伸して解繊した解繊糸を用いて織成したシート７と、同じポリプロピレンで形成した不織布シートよりなるクッション材８を交互に重ねた四層構造となり、保護シート６裏面には粘着剤が塗布されてポリエチレン管１１に巻付けて接着される。【選択図】図３
2007132370.tif 000002
【特許請求の範囲】
【請求項１】
上下水道管として用いるのに好適な液体輸送管或いはガス管に用いられるプラスチック管を地中に埋設する方法であって、延伸および解繊して得られたポリプロピレンからなる解繊糸を織成又は編成した可撓性を有するシートにクッション材を積層した構造をなす保護シートをプラスチック管の少なくとも一部に上記解繊糸を用いたシートを外側にして巻付け、地中に埋設することを特徴とするプラスチック管の埋設方法。
【請求項２】
土中に埋設される液体輸送管やガス管として用いられるプラスチック管に巻付けられる保護シートであって、延伸および解繊して得られたポリプロピレンからなる解繊糸を織成又は編成した可撓性を有するシートにクッション材を積層した構造をなすことを特徴とするプラスチック管の保護シート。
【請求項３】
前記クッション材の裏面に粘着材を塗布したことを特徴とする請求項２記載の保護シート。
【発明の詳細な説明】
【技術分野】
【０００１】
本発明は、土中へのプラスチック管の埋設方法と、埋設されたプラスチック管の耐衝撃性を高めるためにプラスチック管に巻付けられる保護シートに関する。
【背景技術】
【０００２】
液体輸送管、例えば上下水道管やガス管として近年、プラスチック管が普及し、なかでもポリエチレン管は可撓性を有すると共に、軽量で施工が容易であり、土中に埋設しても腐食しない利点を有することから目覚しい普及をしているが、衝撃強度に弱い、という難点があり、埋設後に行われる工事、例えば上下水道管工事のため掘削機を用いて地面を掘削する際、掘削機の爪が埋設されたポリエチレン管に当たってポリエチレン管が傷付けられることがある。この対策のため例えば内圧の高いガス管の本管では、ポリプロピレンシート等の保護シートを巻付けてポリエチレン管の耐衝撃性を高めている。具体的にいえばポリプロピレンシートの場合、厚手のポリプロピレンシートを５層に積層させた複層シートが使用され、図１に示すようにポリエチレン管１に複層シート２を巻付けたのち、その周りにインシュロック３を巻付けて締結し固定するようになっており、耐衝撃性を高めるためにその上に更に複層シート２を巻付けてインシュロックで締結し、固定することも行われている。
【発明の開示】
【発明が解決しようとする課題】
【０００３】
上述の複層シート２による施工には、
（１）積層シート２は厚手のポリプロピレンシートを５層に積層した構造をなしているため腰が強く、管への巻付けが容易でないこと、
（２）複層シート２が上述するように、腰が強いため管に巻付けた状態で粘着テープ等を用いて仮止めすることができず、管に巻付けた状態でばらけ易いため、その周りにインシュロック３を巻付けて固定するのが容易でないことで、とくにその上に更に複層シート２を巻付けて固定するのは格別困難であること、
（３）複層シート２を巻付けて固定し、埋設したのちでも枝管を接続するため、後に掘り起こして管側面にサドル継手やサービスチー継手を融着接続する必要があることがある。このような管工事を行うときには継手を取付ける箇所の複層シートを切り取って該箇所の管表面を剥き出しにする必要があるが、複層シート２を切断することは非常に困難で、その際、管を傷付けるおそれがあること、
（４）埋設時には土砂を被せて転圧を行うが、複層シート２と管１との間、とくに二重巻きにした複層シート２間には隙間ができ易く、埋設後、この隙間が雨水の流路となって雨水と共に土砂が運ばれ、埋設箇所で局部沈下を起こすおそれがあること、
などである。
【０００４】
本発明は、上記の問題を解消することができるプラスチック管の土中への埋設方法と、埋設されたプラスチック管の耐衝撃性を高めるためにプラスチック管に巻付けられる保護シートを提供することを目的とする。
【課題を解決するための手段】
【０００５】
請求項１に係る発明は、上下水道管として用いるのに好適な液体輸送管或いはガス管に用いられるプラスチック管を地中に埋設する方法であって、延伸および解繊して得られたポリプロピレンからなる解繊糸を織成又は編成した可撓性を有するシートにクッション材を積層した構造をなす保護シートをプラスチック管の少なくとも一部に上記解繊糸を用いたシートを外側にして巻付け、地中に埋設することを特徴とし、
請求項２に係る発明は、土中に埋設される液体輸送管やガス管として用いられるプラスチック管に巻付けられる保護シートであって、延伸および解繊して得られたポリプロピレンからなる解繊糸を織成又は編成した可撓性を有するシートにクッション材を積層した構造をなすことを特徴とする。
【０００６】
ここで解繊糸を用いた可撓性を有するシートは、好ましくは押出し成形で得られるポリプロピレンフィルムを延伸かつ解繊して得られた解繊糸を織成または編成したものである。これにより薄手のシートで可撓性を確保しつつ、より強度を増すことができる。解繊糸は２０００デニール以上で、引張強度が８０Ｎ／本以上あるものが好ましい。
【０００７】
クッション材としては、例えばメルトブロー不織布、スパンボンド不織布等の不織布、スポンジ、ゴム、軟質樹脂等を用いることができるが、このなかでは不織布よりなって、厚みが８ｍｍ以上のものを用いるのが望ましい。また、このクッション材は可撓性が悪くならない範囲で可能な限り厚い方が好ましく、不織布の積層によってこれを実現しても良い。
【０００８】
前記各発明の保護シートは、延伸した解繊糸を用いたシートにクッション材を積層した基本構造をなすが、この基本構造を複数積層したもの、すなわちシートとクッション材を複数、交互に積層した構造をなすものを用いることもできる。該シートとクッション材との積層方法としては、例えば熱圧着、接着剤またはニードルパンチによるものが挙げられる。
【０００９】
請求項３に係る発明は、請求項２に係る発明において、クッション材の裏面に粘着材、好ましくは離型紙を添付した粘着材を塗布したことを特徴とする。
【発明の効果】
【００１０】
請求項１及び２に係る発明のプラスチック管の埋設方法及び該方法で用いられる保護シートによると、保護シートが耐衝撃性、耐破断性を有するため、埋設後に掘削機を用いて掘削する際、掘削機の爪がプラスチック管に当たるようなことがあっても管が傷付いたり、爪で引掛けて保護シートが引き千切られるのを防ぐことができること、保護シートが可撓性を有することによりプラスチック管への巻付作業が容易に行えること、既存配管にサドル継手やサービスチー継手を接続する等、保護シートの所要箇所を切断する必要がある場合、専用工具（鋏等）を用いることで保護シートの切断を比較的容易に行うことができること等の効果を奏し、シートとクッション材を複数、交互に積層したもの、すなわち保護シートを複数積層したものを用いれば、掘削機の爪による管の傷付きや保護シートの引き千切り防止効果をより一層増すことができる。
【００１１】
プラスチック管に巻付けた保護シートは、その周りに図１に示すようにインシュロック３を巻付けて締結するか、或いはインシュロックの代わりにビニルテープ（防食テープ等）を巻付けて締結し、固定されるが、請求項３に係る発明のように、クッション材の裏面に粘着材を塗布した保護シートを用いれば、プラスチック管に接着により容易かつ確実に固定することができる。
【発明を実施するための最良の形態】
【００１２】
以下、本発明の実施形態の保護シートについて図面により説明する。
図２は、本発明に係る保護シート６の断面を示すものである。この保護シートは、例えばポリプロピレンからなる２３００デニールの解繊糸を縦横糸として、それぞれを１３本／インチの密度で織成した厚さ約１ｍｍのシート７と、ポリプロピレンやポリエチレン等のリサイクル樹脂にて形成した厚さ約１０ｍｍの不織布シートよりなるクッション材８を交互に重ねて積層した四層構造よりなっており、保護シート裏面のクッション材８には、粘着剤が塗布され、離型紙９が貼付されている。ここでシート７と、該シート７に積層されるクッション材８とを固定する方法としては熱圧着、接着剤、ニードルパンチによる方法が用いられる。
【００１３】
またポリプロピレンからなる解繊糸の製法としては、例えば押出し成形で得られるポリプロピレンフィルムを適宜幅、例えば２５ｍｍ幅にスリットしてテープ状となし、その後一軸方向に延伸してから解繊機にかけ、それによって例えば幅が４ｍｍ、繊度（太さ）２３００デニール、引張り強さ１００Ｎ以上のものを得るものである。
保護シート６は、幅が巻付けられるプラスチック管の外周の周長と同一若しくは若干長くなっている。
【００１４】
図３は、上記保護シート６を離型紙９を剥がしてプラスチック管としてのポリエチレン管１１に巻付けて貼着した断面を示している。
【００１５】
図４は、粘着剤を塗布しない保護シート１２を用いて、ポリエチレン管１１に巻付け、その周りにインシュロック３を巻付けて固定した例を示すものである。
【産業上の利用可能性】
【００１６】
本発明の保護シートは、土中に埋設される液体輸送管やガス管の耐衝撃性を高めるために使用され、液体輸送管としては上下水道管が好適である。
【図面の簡単な説明】
【００１７】
【図１】プラスチック管に巻付けられる保護シートの従来例を示す断面図。
【図２】本発明に係る保護シートの断面図。
【図３】図２に示す保護シートをポリエチレン管に巻付けて取付けた断面図。
【図４】ポリエチレン管に巻付けた保護シートをインシュロックで締結し固定した断面図。
【符号の説明】
【００１８】
１、１１・・ポリエチレン管
３・・インシュロック
６、１２・・保護シート
７・・シート
８・・クッション材
９・・離型紙
【図１】
2007132370.tif 000003
【図２】
2007132370.tif 000004
【図３】
2007132370.tif 000005
【図４】
2007132370.tif 000006